(57)【要約】【課題】  一旦網に入った捕獲物はこれを逃すことなく確実に捕らえることのできる手持式捕獲具を提供する。【解決手段】  手持用の竿２の先端部２ａに網３が設けられ、該網３の口４が開いた状態から閉じた状態へと前記網３の形状を自動的に変化させるための動力を供給する網駆動手段１２と、該網駆動手段１２を前記竿３の後端部２ｂ側で制御可能とせしめる操作部材１３と、を備えている。好ましくは、前記網駆動手段１２は、前記網３に前記口３が閉じた状態への復元力を常時付与する付勢部材１２とする。また、前記操作部材１３は、前記付勢部材１２の付勢力に抗して前記網３を前記口４が開いた状態に保持可能とせしめるとともに前記口４が開いた状態の保持を前記竿３の前記後端部２ｂ側で解除操作し得るものとする。【選択図】    図１
2007236267.tif 000002
【特許請求の範囲】
【請求項１】
手持用の竿（２）と、該竿（２）の先端部（２ａ）に設けられた網（３）であって、開閉自在な口（４）を備え、該口（４）以外の部分が閉じている網（３）と、前記口（４）が開いた状態から閉じた状態へと前記網（３）の形状を自動的に変化させるための動力を供給する網駆動手段（１２）と、該網駆動手段（１２）を前記竿（２）の後端部（２ｂ）側で制御可能とせしめる操作部材（１３）と、を備えている、手持式捕獲具。
【請求項２】
前記網駆動手段が、前記網（３）に前記口（４）が閉じた状態への復元力を常時付与する付勢部材（１２）であり、前記操作部材（１３）が、前記付勢部材（１２）の付勢力に抗して前記網（３）を前記口（４）が開いた状態に保持可能とせしめるとともに前記口（４）が開いた状態の保持を前記竿（２）の前記後端部（２ｂ）側で解除操作し得るものとされている、手持式捕獲具。
【請求項３】
前記口（３）が開いた状態に対応する操作位置に留まるように前記付勢部材（１２）の付勢力に抗して前記操作部材（１３）を拘束する解除操作自在なロック機構（２２）を備えている、請求項２に記載の手持式捕獲具。
【請求項４】
前記竿（２）の前記先端部（２ａ）で前記網（３）を支持するフレーム（５）を備え、該フレーム（５）が、前記竿（２）に固定された固定フレーム部材（６）と、該固定フレーム部材（６）に対して相対移動することにより前記網（３）の前記口（４）を開閉せしめる可動フレーム部材（７）と、を含んでいる、請求項１，２又は３に記載の手持式捕獲具。
【請求項５】
前記口（４）の閉じ状態におけるシール性を高めて捕獲物の逃げを防止するシール部材（３１）を備えている、請求項１，２，３又は４に記載の手持式捕獲具。
【発明の詳細な説明】
【技術分野】
【０００１】
本発明は、昆虫、魚、小動物等の生き物を捕獲するための手持式捕獲具に関する。
【背景技術】
【０００２】
昆虫を捕獲するための虫取り網は良く知られているが、従来の虫取り網は、手持用の竿の先端部に設けた網の開口部が開いたままなので、一旦はうまく虫に網を被せたとしても、虫を手で確保するまでの間に、前記開口部から虫が逃げてしまうことが多い。
【０００３】
そこで、虫等が網の中に入った後に、その網の開口部を竿の手元側での操作で閉じることができるようにした捕獲具が、下記特許文献１，２で提案されている。特許文献１のものは、網の開口部の回りをワイヤで囲い、このワイヤを竿（ロッド）の手元側で引張ることにより、前記網の開口部を閉じることができるようにしたものである。一方、特許文献２のものは、竿の先端に、開閉自在で閉じたときに中側が膨らみを持つ熊手形の骨組みを円状に取り付け、この骨組みに網を取り付けたものである。骨組みをどのようにして閉じるのかについては、特許文献２では詳細には説明されていないが、その図１の記載から推測すれば、前記竿の中を通した紐状材を手元側で引張ることにより前記骨組みが閉じられ、これにより、前記網が閉じられるものと思われる。
【特許文献１】特開平１０−２３４２８５号公報
【特許文献２】特開２００４−２２２６９６号公報
【発明の開示】
【発明が解決しようとする課題】
【０００４】
しかしながら、前記従来のものは、いずれも、網の開口部を閉じるための操作として、竿の手元側で、紐状材を所定ストローク引張り操作しなければならないので、網の開口部を瞬時に確実に閉じるのが難しく、該開口部が完全に閉じるまでの間に虫等が逃げてしまうことも考えられる。また、虫等を逃がさないように前記竿を一方の手で一定姿勢に保持した状態で、他方の手で紐状材の引張り操作をするのは、操作性が悪い等の問題もある。
【０００５】
本発明は、前記の如き事情に鑑みてなされたもので、一旦網に入った捕獲物はこれを逃すことなく確実に捕らえることのできる手持式捕獲具を提供しようとするものである。
【課題を解決するための手段】
【０００６】
前記課題を解決するため、本発明に係る手持式捕獲具は、手持用の竿と、該竿の先端部に設けられた網であって、開閉自在な口を備え、該口以外の部分が閉じている網と、前記口が開いた状態から閉じた状態へと前記網の形状を自動的に変化させるための動力を供給する網駆動手段と、該網駆動手段を前記竿の基端部側で制御可能とせしめる操作部材と、を備えたものである（請求項１）。
【０００７】
本発明によれば、前記捕獲具の使用者は、前記口から前記網の中へと虫等の捕獲物が入った後に、前記竿の後端部側で前記操作部材を操作することで、前記網駆動手段を作用させ、前記網の前記口を自動的に閉じさせることができる。このため、前記捕獲物は前記網に一旦入ってしまうと前記網から逃げ出すことができず、捕獲物を確実に捕らえることができる。また、前記操作部材を操作することで、前記口が閉じた状態へと前記網が自動的に変形するので、操作性も良い。
【０００８】
本発明において、前記網駆動手段は、ゴムやばね等の蓄力式のものとするのが通常であるが、電動式のもの等を採用することもできる。
【０００９】
好適な実施の一形態として、前記網駆動手段が、前記網に前記口が閉じた状態への復元力を常時付与する付勢部材であり、前記操作部材は、前記付勢部材の付勢力に抗して前記網を前記口が開いた状態に保持可能とせしめるとともに前記口が開いた状態の保持を前記竿の前記後端部側で解除操作し得るものとすることもできる（請求項２）。
【００１０】
前記形態のものによれば、前記網は、常時は、前記付勢部材の付勢力により前記口が閉じた状態となっている。前記捕獲具の使用者は、前記操作部材を操作することで、前記網を前記付勢部材の付勢力に抗して前記口が開いた状態へと移行又は変形せしめてその状態に保持する。そして、前記口から前記網の中へと虫等の捕獲物が入った後に、前記竿の後端部側で、前記網の前記口が開いた状態の保持を解除操作すれば、前記付勢部材の付勢力により、前記口が閉じた状態へと前記網が自動的に且つ瞬時に復元する。前記口が閉じるので、前記捕獲物は前記網から逃げ出すことができず、捕獲物を確実に捕らえることができる。
【００１１】
前記手持式捕獲具において、前記操作部材から手を放すと、前記付勢部材の付勢力で前記網の前記口が自動的に閉じられるようにしても良いし、また、前記口が開いた状態に対応する操作位置に留まるように前記付勢部材の付勢力に抗して前記操作部材を拘束する解除操作自在なロック機構を備えたものとすることもできる（請求項３）。後者のようにすれば、前記ロック機構によって、前記口が開いた状態に対応する操作位置に前記操作部材が留まるので、前記口が開いた状態を持続せしめるために前記操作部材を手で拘束しておく必要がなくなり、好適である。
【００１２】
好適な実施の一形態として、前記竿の前記先端部で前記網を支持するフレームを備え、該フレームが、前記竿に固定された固定フレーム部材と、該固定フレーム部材に対して相対移動することにより前記網の前記口を開閉せしめる可動フレーム部材と、を含んでいるものとすることもできる（請求項４）。
【００１３】
他の好適な実施の一形態として、前記口の閉じ状態におけるシール性を高めて捕獲物の逃げを防止するシール部材を備えたものとすることもできる（請求項５）。
【発明を実施するための最良の形態】
【００１４】
以下、添付図面を参照して、本発明の実施の一形態について説明する。
【００１５】
図１は、本発明の実施の一形態に係る手持式捕獲具の全体斜視図、図２は、図１の捕獲具の分解斜視図である。
【００１６】
図１に示すように、本実施の形態に係る手持式捕獲具１は、手持用の竿２と、該竿２の先端部２ａに設けられた網３と、を備えている。前記手持式捕獲具１は、虫取り網として用いるのが最も一般的であるが、サイズや強度を使用目的に応じた適切なものに設定することで、魚取り用の網や、小動物の捕獲網としても適用可能なものとなる。
【００１７】
前記竿２は、その後端部２ｂ側を使用者が手に持って、前記網３を操作するためのものである。前記竿２の材質は問わないが、耐久性、軽量性、加工容易性等の観点から、プラスチック製パイプやアルミニウム製パイプを用いるのが好ましい。前記竿２の全長は、例えば、セミやチョウチョ、トンボなどの昆虫取り用とする場合には長く設定し、屋内でのゴキブリ、ハエ、ガなどの捕獲用とする場合には、台所等でも操作し易いように短目に設定する等、使用目的に応じて適宜な長さとすれば良い。
【００１８】
前記網３は、開閉自在な口４を備えており、該口４以外の部分は閉じている。前記網３は、前記竿２の前記先端部２ａでフレーム５によって支持されている。該フレーム５は、前記竿２に固定された固定フレーム部材６と、該固定フレーム部材６に対して相対移動することにより前記網３の前記口４を開閉せしめる可動フレーム部材７と、を含んでいる。前記固定フレーム部材６及び前記可動フレーム部材７は、いずれも、金属棒を加工したり、プラスチックで成型したりして形成することができるが、前記竿２の操作性を良くするため、軽量なものとするのが好ましい。
【００１９】
図２に示すように、前記固定フレーム部材６は、前記竿２への取り付け部となる棒状延出部８と、該棒状延出部８の前端部に一体に形成された左右外方への張出部９と、該張出部９の左右両端部から前記竿２の前方へと延び出した左右一対の腕部１０，１０と、を備えている。前記固定フレーム部材６は、前記棒状延出部８を前記竿２の前記先端部２ａに添わせた状態で、前記竿２に固定される。前記竿２への取付状態において、前記固定フレーム部材６は、前記張出部９と前記左右一対の腕部１０，１０とにより、前部が開口したコ字状となっている。前記左右一対の腕部１０，１０は、前記竿２の前記先端部２ａから左右均等な位置にあって、前記竿２の長さ方向に沿って前方へと互いに平行に互いに同じ長さだけ延び出している。
【００２０】
一方、前記可動フレーム部材７は、棒状のものであり、前記固定フレーム部材６の前記張出部９と平行にして、前記左右一対の腕部１０，１０間に架設されている。前記可動フレーム部材７の両端部には、前記左右一対の腕部１０，１０のそれぞれに移動可能且つ離脱不能に係合するリング状等の係合部１１，１１が形成されている。そして、前記可動フレーム部材７は、前記左右一対の腕部１０，１０の長さ方向に沿って前後に自在に平行移動させることができる。
【００２１】
前記網３の前記口４は、その全周囲を、前記固定フレーム部材６の前記張出部９及び前記左右一対の腕部１０，１０と、前記可動フレーム部材７と、に止着されている。したがって、前記固定フレーム部材６に沿って前記可動フレーム部材７が前後方向に平行移動することにより、前記網３の前記口４が開閉することになる。前記可動フレーム部材７が前記固定フレーム部材６の最も先端部側に位置したときが、前記口４の全開状態（図１の仮想線の状態）となり、前記可動フレーム部材７が前記固定フレーム部材６の前記張出部９に接触するまで前記竿２に近接して位置したときが、前記口の全閉状態（図１の実線の状態）となる。
【００２２】
前記手持式捕獲具１は、前記口４が開いた状態から閉じた状態へと前記網３の形状を自動的に変化せしめるための動力を供給する網駆動手段１２と、該網駆動手段１２を前記竿２の後端部２ａ側で制御可能とせしめる操作部材１３と、を備えている。
【００２３】
前記網駆動手段１２としては、前記可動フレーム部材７を前記固定フレーム部材６に沿って前後に平行移動せしめるための小形の電動モータ等を用い、前記操作部材１３として、前記電動モータを制御するためのスイッチ等を用いることもできる。しかし、軽量化、構成の簡素化、故障の起こり難さ及び低コスト化等の観点から、具体的には、ゴムやばね等の付勢部材又は弾性部材を前記網駆動手段１２として用いるのが好適である。
【００２４】
本実施の形態では、前記網駆動手段１２として、前記網３に前記口４が閉じた状態への復元力を常時付与するコイル式の引張ばねを採用している。具体的には、前記竿２の中空の内部に、前記操作部材としての操作棒１４が前後移動可能に挿通されている。該操作棒１４の前端部１４ａは、前記可動フレーム部材７の長さ方向の中央部に連結されている。一方、前記操作棒１４の後端部１４ｂは、前記竿２の後端部２ｂより前方に位置している。そして、前記竿２の後部を形成するグリップパイプ１５の後端開口１６を閉じるプラグボルト１７と、前記操作棒１４の前記後端部１４ｂと、の間に、前記引張ばね１２が介装されている。該引張ばね１２は、前記操作棒１４を前記竿２の後方へ向けて常時付勢している。その結果、前記操作棒１４は、前記可動フレーム部材７が前記固定フレーム部材６の前記張出部９に当接する位置に、通常時は保持されることになる。よって、通常時は、前記引張ばね１２の付勢力により、前記網３の前記口４は全閉状態に保持される。
【００２５】
前記竿２の後部側には、前記グリップパイプ１５より前方となる位置に、前記竿２の長さ方向に延びるスリット１８が形成されている。該スリット１８の長さは、前記固定フレーム部材６上における前記可動フレーム部材７の前後方向への可動距離と同じか、それより長く形成されている。前記操作棒１４の前記後端部１４ｂ側には、前記操作棒１４とともに前記操作部材１３を構成する摘み１９がねじ込み等の適宜の方法で固定されており、該摘み１９は、前記スリット１８の外部へと露出している。
【００２６】
図１に示すように、前記摘み１９は、前記引張ばね１２の付勢力で前記網３の前記口４が全閉状態となっている時には、前記スリット１８内で最後部位置にある。そして、使用者が、前記摘み１９に指を掛けて該摘み１９を前記スリット１８に沿って前記竿２の前方へと移動させると、前記操作棒１４が前記竿２内を前方へと移動し、前記可動フレーム部材７が前記固定フレーム部材６上で前方へと平行移動せしめられる。これにより、前記網３の前記口４が開いた状態となる。前記網３の前記口４が全開状態となった時に、前記摘み１９は、前記スリット１８内で最前部位置に来る。前記可動フレーム部材７の前方への移動限界は、前記摘み１９を前記スリット１８の前端部１８ａに当接させることによって画成するか、あるいは、前記固定フレーム部材６の前記左右一対の腕部１０，１０の前端部に、前記可動フレーム部材７の抜け止め２０を形成することによって画成すれば良い。
【００２７】
前記捕獲具１の使用者は、前記引張ばね１２の付勢力に抗して前記摘み１９を前方へと移動操作し、前記網３の前記口４が全開状態となる操作位置に前記摘み１９を指で保持する。そして、虫等の捕獲対象に前記網３を被せた後に、前記摘み１９を解放する。その瞬間に、前記引張ばね１２の付勢力で前記操作棒１４が前記竿２の後端部２ｂ側へと引き戻され、前記網３の前記口４が全閉状態となる。よって、虫等の捕獲対象は、もはや前記網３から逃げ出すことができず、前記捕獲具の使用者は、捕獲物を確実に捕らえることができる。前記摘み１９から指を放すだけで、前記網３の前記口４が瞬時に且つ完全に閉じるので、操作性がこの上なく良好である。また、網駆動手段として前記引張ばね１２を用いているので、低コストで供給できる利点もある。網駆動手段としてゴムを用いた場合にも、前記と同様の作用効果が得られる。
【００２８】
なお、前記網３を前記口４が閉じた状態に保持するための付勢部材の配設位置は、前記竿２の後端部２ｂ側の内部には限定されず、前記竿２の前記先端部２ａ側の内部において、前記操作棒１４との間に介装することもできる。この場合、前記付勢部材として、必要に応じて、圧縮コイルばねを用いることもできる。
【００２９】
次に、図３及び図４を参照して、本発明の他の実施の形態を説明する。図３は、本発明の他の実施の形態に係る手持式捕獲具２１の要部の斜視図、図４は、図３の分解斜視図である。
【００３０】
図３及び図４の実施の形態の特徴、すなわち、図１及び図２のものとの違いは、前記網３の前記口４が開いた状態に対応する操作位置に留まるように、前記引張ばね１２の付勢力に抗して前記摘み１９を拘束する解除操作自在なロック機構２２を備えている点にある。それ以外の点は、図１及び図２の例と同じであるので、図示も説明も省略する。
【００３１】
本実施の形態では、図３に示すように、前記ロック機構２２の具体的な構成要素として、前記竿２のスリット２３の前端部に、円筒状の前記竿２の周方向へと窪んだ摘み停留用凹部２４が形成されている。この摘み停留用凹部２４の形成位置は、該摘み停留用凹部２４に前記摘み１９を係止させた時に、前記網３の前記口４が全開状態となる位置とする。また、この場合には、前記摘み１９は、前記竿２に挿通された操作棒２５の軸線Ｘを中心として回動自在となるように、前記操作棒２５に対して取り付ける。前記摘み１９の回動角度範囲は、前記摘み停留用凹部２４への係脱に必要な角度範囲だけとしても良い。
【００３２】
すなわち、図４に示すように、例えば、前記摘み１９とともに前記操作部材１３を構成する前記操作棒２５の後端部に細径部２６を形成し、該細径部２６に対して相対回動自在な筒部２７を前記摘み１９に一体に結合せしめ、前記筒部２７に前記細径部２６を挿通する。該細径部２６を設けることで前記操作棒２５の後部に形成された段部２８により、前記筒部２７が前記操作棒２５上でその前方へと移動することが防止される。前記細径部２６の後端部２６ｂには、前記引張ばね１２を止着するためのねじ２９を結合させる。該ねじ２９には、前記細径部２６から前記筒部２７が抜け出すのを防止するストッパ３０を設けておくと好適である。
【００３３】
本実施の形態によれば、使用者は、前記引張ばね１２の付勢力に抗して前記摘み１９を前方へと移動操作し、前記摘み停留用凹部２４の位置で前記摘み１９を前記竿２の周方向へと回動させ、前記摘み１９を前記摘み停留用凹部２４に係止させる。この操作により、前記網３の前記口４は全開状態となり、しかも、前記摘み１９から使用者が指を放しても、前記口４の全開状態が維持される。そして、虫等の捕獲対象に前記網３を被せた後に、前記摘み１９を指で前記摘み係止用凹部２４から離脱させると、その瞬間に、前記引張ばね１２の付勢力で前記操作棒２５が前記竿２の後端部２ｂ側へと引き戻され、前記網３の前記口４が全閉状態となる。よって、虫等の捕獲対象は、もはや前記網３から逃げ出すことができず、前記使用者は、捕獲物を確実に捕らえることができる。
【００３４】
本実施の形態によれば、図１及び図２のものと同様の作用効果が得られるほか、前記網３の前記口４の全開状態を維持するために前記摘み１９を使用者が指で保持し続ける必要がないので、片手でも楽に操作ができ、操作性が一層良好となる利点がある。
【００３５】
なお、前記摘み停留用凹部２４へ係止させるために前記摘み１９の回動を可能とせしめるための構成の別例として、前記摘み１９は図２の例のように前記操作棒１４に対して固着し、該操作棒１４の一部に、又は、前記操作棒１４と前記可動フレーム部７との連結部に、回動自在部を介装する等の方法を採用することもできる。
【００３６】
他の実施の形態として、図５に示すように、前記口４の閉じ状態におけるシール性を高めて捕獲物の逃げを防止するシール部材３１を備えたものとすることもできる。該シール部材３１は、具体的には、例えば、前記固定フレーム部材６の前記張出部９と、前記可動フレーム部材７と、の少なくともいずれか一方に設ければよいが、それら双方に設けることもできる。いずれか一方にのみ設ける場合には、前記可動フレーム部材７側に設けるのが好ましい。
【００３７】
前記シール部材３１としては、チリトリの先端部に固着されているような柔軟なゴムを用いることができ、前記張出部９や前記可動フレーム部材７に対して、例えば、接着剤を用いて固着すればよい。前記張出部９と前記可動フレーム部材７の双方にゴム製の前記シール部材３１を固着した場合には、前記口４の閉じ状態において、前記シール部材３１同士がピッタリと接触し、シール性が高まる。これにより、捕獲物の逃げが防止される。前記シール部材３１として、柔軟なゴムを用いれば、前記口４を閉じた時に捕獲物が潰れてしまうことも防止されて、好適である。
【００３８】
前記シール部材３１の他の例としては、スポンジや、ブラシ状のものを挙げることもできる。いずれの場合も、ゴム製のものの場合と同様に、前記張出部９や前記可動フレーム部材７の全長とほぼ同じ長さのものをそれらに対して添着すれば良い。スポンジやブラシ状のシール部材の場合にも、ゴム製のものの場合と同様に、捕獲物の逃げ出しが防止できるほか、前記口４を閉じた時に捕獲物が潰れてしまうことも防止される。
【図面の簡単な説明】
【００３９】
【図１】本発明の実施の一形態に係る手持式捕獲具の全体斜視図である。
【図２】図１の捕獲具の分解斜視図である。
【図３】本発明の他の実施の形態に係る手持式捕獲具の要部の斜視図である。
【図４】図３の分解斜視図である。
【図５】本発明のさらに他の実施の形態を示す斜視図である。
【符号の説明】
【００４０】
２    竿
２ａ  竿の先端部
２ｂ  竿の後端部
３    網
４    口
５    フレーム
６    固定フレーム部材
７    可動フレーム部材
１２  網駆動手段（付勢部材／引張ばね）
１３  操作部材（操作棒１４，２５／摘み１９）
２２  ロック機構（摘み停留用凹部２４）
３１  シール部材
【図１】
2007236267.tif 000003
【図２】
2007236267.tif 000004
【図３】
2007236267.tif 000005
【図４】
2007236267.tif 000006
【図５】
2007236267.tif 000007